(57)【要約】【課題】屋内にプラント設備が設けられた構造物の屋根を支持する梁の構成を簡素な構成とすることができる屋根の構造を得る。【解決手段】屋根板２０を下側から支持する梁部材２２は、屋根の構造３０に備えられた階段部３８を支持する階段シャフト３８Ｄによって支持されている。このように、階段シャフト３８Ｄを用いて梁部材２２を支持することで、階段シャフト３８Ｄを用いて支持しない場合と比して、屋根架構１８の構成を簡素な構成とすることができる。例えば、この屋根の構造３０を用いることで梁部材２２が複数箇所で支持されるため、梁部材２２の支持スパンが小さくなり、トラス梁からＨ型構を用いた梁に変更することができる。【選択図】図１
2012241444.tif 000002
【特許請求の範囲】
【請求項１】
屋根と前記屋根を支持する梁とを含んで構成される屋根架構と、
鉛直方向に延びると共に、屋内で用いられる装置を支持する架台に備えられ、前記梁を支持する支持部材と、
を備える屋根の構造。
【請求項２】
前記架台は、
装置が載置される台部と、
前記台部に隣接して設けられた階段部と、を備え、
前記支持部材は、前記階段部を支持する階段シャフトである請求項１に記載の屋根の構造。
【発明の詳細な説明】
【技術分野】
【０００１】
本発明は、構造物の屋根を支持するための屋根の構造に関する。
【背景技術】
【０００２】
特許文献１には、地下駐車場（立体駐車場）の梁を利用して周囲の外壁を支持する構成が記載されている。
【先行技術文献】
【特許文献】
【０００３】
【特許文献１】特開平６−１１７１３０号公報
【発明の概要】
【発明が解決しようとする課題】
【０００４】
しかし、立体駐車場を利用しているため、立体駐車場を備えていない例えば、工場等の構造物にはこの構成を用いることができなかった。また、構造物の屋根を支持することもできない構造となっていた。
【０００５】
本発明の課題は、屋内にプラント設備が設けられた構造物の屋根を支持する梁の構成を簡素な構成とすることである。
【課題を解決するための手段】
【０００６】
本発明の請求項１に係る屋根の構造は、屋根と前記屋根を支持する梁とを含んで構成される屋根架構と、鉛直方向に延びると共に、屋内で用いられる装置を支持する架台に備えられ、前記梁を支持する支持部材と、を備えることを特徴とする。
【０００７】
上記構成によれば、屋内で用いられる装置を支持する架台に備えられた支持部材が、鉛直方向に延びて屋根架構に備えられた梁を支持している。
【０００８】
これにより、複数箇所で屋根架構を支持できるため、屋根架構に備えられた屋根を支持する梁の支持スパンを小さくすることができます。このため、例えば、トラス梁からＨ型構を用いた梁に変更することができる。
【０００９】
このように、架台に備えられた支持部材が、構造物の屋根架構に備えられた梁を支持することで、屋内にプラント設備が設けられた構造物の屋根を支持する梁の構成を簡素な構成とすることができる。
【００１０】
本発明の請求項２に係る屋根の構造は、請求項１に記載において、前記架台は、装置が載置される台部と、前記台部に隣接して設けられた階段部と、を備え、前記支持部材は、前記階段部を支持する階段シャフトであることを特徴とする。
【００１１】
上記構成によれば、装置が載置される台部に隣接して設けられた階段部を支持する階段シャフトが、鉛直方向に延びて屋根架構の梁を支持している。
【００１２】
このように、階段シャフトを利用して屋根架構の梁を支持することができる。
【図面の簡単な説明】
【００１３】
【図１】本発明の第１実施形態に係る屋根の構造を示した側面図である。
【図２】本発明の第１実施形態に係る屋根の構造を示した斜視図である。
【図３】本発明の第１実施形態に係る屋根の構造を備えた清掃工場を示した平面図である。
【図４】本発明の第１実施形態に係る屋根の構造を備えた清掃工場を示した側面図である。
【図５】本発明の第２実施形態に係る屋根の構造を示した斜視図である。
【発明を実施するための形態】
【００１４】
本発明の第１実施形態に係る屋根の構造３０の一例を図１〜図４に従って説明する。なお、図中矢印ＵＰは鉛直方向上方を示す。
【００１５】
（全体構成）
図４に示されるように、構造物の一例としての清掃工場１０は、地盤（ＧＬ）に鉛直方向に埋め込まれた円柱状の複数本の杭（図示省略）と、地盤（ＧＬ）に構築され、杭に支持されたコンクリート基礎１２（以下単に基礎１２と言う）とを備えている。
【００１６】
さらに、この基礎１２の縁側からは、鉛直方向上方に延びる柱部材１４が設けられ、この柱部材１４の外側には、壁部材１６が取り付けられている。
【００１７】
また、柱部材１４の上端部に支持されるように、屋根架構１８が設けられている。そして、屋根架構１８は、板状とされた屋根の一例としての屋根板２０と、屋根板２０を下側から支持すると共に水平方向に延びるＨ型構で構成された梁の一例としての梁部材２２とを含んで構成されている。
【００１８】
また、清掃工場１０の屋内には、装置の一例としての焼却炉２６が複数個配置された炉室２８が設けられている。さらに、この炉室２８には、屋根架構１８に備えられた梁部材２２を支持する屋根の構造３０が設けられている。
【００１９】
図３に示されるように、本実施例では、炉室２８内に、６個の焼却炉２６が２列に並べられて配置されている。
【００２０】
（要部構成）
次に、屋根の構造３０等について説明する。
【００２１】
図１、図２に示されるように、炉室２８には、炉室２８に配置された焼却炉２６を支持する架台の一例としてのプラント架台３４が設けられている。プラント架台３４は、焼却炉２６が載置される台部３６と、この台部３６に隣接して設けられる階段部３８とを含んで構成されている。
【００２２】
詳細には、台部３６には、焼却炉２６が載置される平面視（上方から見て）矩形状の載置板３６Ａと、この載置板３６Ａの四隅を支持するＨ型構で構成された脚３６Ｂとが設けられている。さらに、載置板３６Ａの縁部には、載置板３６Ａに載って作業をする作業者が載置板３６Ａから落下するのを防止する柵３６Ｃが設けられている。
【００２３】
一方、台部３６と隣接するように、台部３６とは独立した階段部３８が設けられている。この階段部３８には、作業者が焼却炉２６の点検又は作業を行うのに昇降する複数個の階段３８Ａと、一の階段３８Ａと他の階段３８Ａとの間に設けられた踊り場３８Ｂとが設けられている。さらに、階段３８Ａ及び踊り場３８Ｂを支持するように、鉛直方向に延びるＨ型構から構成された３本の脚３８Ｃと、脚３８Ｃより断面が大きくされたＨ型構から構成された階段シャフト３８Ｄとが設けられている。また、階段３８Ａ及び踊り場３８Ｂの縁部には、階段３８Ａ及び踊り場３８Ｂに載って点検等の作業を行う作業者が階段３８Ａ及び踊り場３８Ｂから落下するのを防止する柵３８Ｅが設けられている。
【００２４】
ここで、鉛直方向上方に延びる階段シャフト３８Ｄの上端は、屋根架構１８を構成する梁部材２２まで達しており、梁部材２２を下側から支持している。具体的には、図３に示されるように、梁部材２２は２個設けられ、夫々の梁部材２２は階段シャフト３８Ｄの上端で３箇所支持されている。
【００２５】
以上より、屋根の構造３０は、屋根架構１８と、台部３６と、階段部３８と、階段部３８を支持する階段シャフト３８Ｄとを含んで構成されている。
【００２６】
（作用・効果）
次に、屋根の構造３０の作用について説明する。
【００２７】
図１、図３に示されるように、屋根板２０を下側から支持する水平方向に延びた梁部材２２は、屋根の構造３０に備えられた階段部３８を支持する階段シャフト３８Ｄによって複数箇所（本実施例では３箇所）支持されている。
【００２８】
このように、階段シャフト３８Ｄを用いて梁部材２２を支持することで、階段シャフト３８Ｄを用いて支持しない場合と比して、屋根架構１８の構成を簡素な構成とすることができる。例えば、この屋根の構造３０を用いることで梁部材２２が複数箇所で支持されるため、梁部材２２の支持スパンが小さくなり、トラス梁からＨ型構を用いた梁に変更することができる。
【００２９】
また、清掃工場１０とは、独立したプラント架台３４の階段シャフト３８Ｄを用いることで、清掃工場１０が完成した後でも、容易に梁部材２２を支持することができる。
【００３０】
また、梁部材２２を簡素化することができるため、梁部材２２の製作手間及び材料費を低減することができる。さらに、鉄骨建て方作業も改善することができる。
【００３１】
次に、本発明の第２実施形態に係る屋根の構造５０の一例を図５に従って説明する。なお、第１実施形態と同一部材については、同一符号を付してその説明を省略する。
【００３２】
図５に示されるように、本第２実施形態では、第１実施形態のように、梁部材２２を下側から支持する階段シャフトは設けられておらず、台部３６の載置板３６Ａを支持する台シャフト３６Ｅが、鉛直方向上方に延ばされ、梁部材２２を下側から支持している。
【００３３】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、清掃工場１０を例にとって説明したが、清掃工場１０に限定されることはない。例えば、屋内にプラント架台を必要とする装置が配置された工場等であればよい。
【００３４】
また、上記実施形態では、装置として焼却炉２６を例にとって説明したが、特に焼却炉２６に限定されることなく、部品を生産する生産設備等であってもよい。
【００３５】
また、上記実施形態では、階段部３８は、台部３６から独立する構成を例にとって説明したが、独立していても独立していなくてもよい。
【符号の説明】
【００３６】
１０          清掃工場（構造物の一例）
１８          屋根架構
２０          屋根板（屋根の一例）
２２          梁部材（梁の一例）
３０          屋根の構造
３４          プラント架台（架台の一例）
３６          台部
３６Ｅ        台シャフト（支持部材の一例）
３８          階段部
３８Ｄ        階段シャフト（支持部材の一例）
５０          屋根の構造
【図１】
2012241444.tif 000003
【図２】
2012241444.tif 000004
【図３】
2012241444.tif 000005
【図４】
2012241444.tif 000006
【図５】
2012241444.tif 000007